(57)【要約】【課題】  コンサート等の録音データを複製による拡散の虞がなく複数のプレーヤーに書き込める書込制御システムを提供する。【解決手段】  書込制御システム１０は、ファイル書込装置１１とこれに接続する書込機３４とプレーヤー３５とから構成される。ファイル書込装置１１はコンサート等の録音データを取り込み、コーデック情報格納部１７に格納されている特定のエンコード情報に基づいてエンコーダー１５で符号化する。これを第１音楽ファイル格納部１８に第１音楽ファイルとして格納する。第１音楽ファイルは編集され第２音楽ファイルとして第２音楽ファイル格納部２７に格納される。出力された第２音楽ファイルは書込機３４に装着されているプレーヤー３５ａ〜３５ｄの各々に第３音楽ファイルとして格納する。プレーヤー３５ａ〜３５ｄの各々には、第３音楽ファイルを符号化するための特定のエンコード情報が格納されている。【選択図】      図１
2008097767.tif 000002
【特許請求の範囲】
【請求項１】
録音や撮影により取得されたデータよりなるファイルを書き込むことができるファイル書込装置と前記ファイルが書き込まれる複数のプレーヤーとからなる書込制御システムであって、
前記ファイル書込装置は、
前記取得されたファイルを特定のコーデック情報に基づいてエンコードして生成された第１ファイルを格納する第１ファイル格納手段と、
前記第１ファイルを編集することによって得られた第２ファイルを格納する第２ファイル格納手段と、
前記格納された第２ファイルを前記プレーヤーの各々に書き込む書込手段とを備え、
前記プレーヤーの各々は、
前記書き込まれた第２ファイルを第３ファイルとして格納する第３ファイル格納手段と、
前記コーデック情報のうち、少なくともデコード情報が格納されるデコード情報格納手段と、
前記格納された第３ファイルを前記デコード情報に基づいてデコードするデコード手段と、
前記デコードされた第３ファイルを再生する再生手段とを備えた、書込制御システム。
【請求項２】
録音や撮影により取得されたデータよりなるファイルを書き込むことができるファイル書込装置と前記ファイルを再生する複数のプレーヤーとからなる書込制御システムであって、
前記ファイル書込装置は、
前記取得されたファイルを特定のコーデック情報に基づいてエンコードして生成された第１ファイルを格納する第１ファイル格納手段と、
前記第１ファイルを編集することによって得られた第２ファイルを格納する第２ファイル格納手段と、
前記格納された第２ファイルを前記プレーヤーの各々に装着できるメモリに第３ファイルとして書き込む書込手段とを備え、
前記プレーヤーの各々は、
前記メモリを装着することができるメモリ装着手段と、
前記コーデック情報のうち、少なくともデコード情報が格納されるデコード情報格納手段と、
前記メモリに格納された第３ファイルを前記デコード情報に基づいてデコードするデコード手段と、
前記デコードされた第３ファイルを再生する再生手段とを備えた、書込制御システム。
【請求項３】
前記ファイル書込装置は、更に、前記第２ファイルと前記第３ファイルとの照合を、各々が格納された複数の特定番地同士において選択的に行うベリファイ手段を備えた、請求項１又は請求項２記載の書込制御システム。
【請求項４】
前記ファイルはコンサート会場等において録音された音楽ファイルを含む、請求項１から請求項３のいずれかに記載の書込制御システム。
【発明の詳細な説明】
【技術分野】
【０００１】
この発明は書込制御システムに関し、特にコンサート会場等で収録されたアナログデータを所定のコーデック情報に基づいて複数のプレーヤー等に書き込む書込制御システムに関するものである。
【背景技術】
【０００２】
従来、歌手のコンサートや音楽会等においては一般入場者による撮影や録音が禁止されているのが通常である。そのため、これらの演奏等は許可された者が正式に録音等して、後日ＣＤやＤＶＤ等の媒体に記憶したものを販売することが多い。当日参加した人や参加できなかった人は、後日これらのＣＤ等を購入しこれを再生して楽しんでいた。
【発明の開示】
【発明が解決しようとする課題】
【０００３】
上記のような従来の録音、再生方式ではコンサート当日に入場した人がコンサート終了後直ちにその内容を視聴したいと思っても、会場内での録音等が禁止されているためできなかった。仮に隠れて録音等をしたとしても、周囲の雑音等が入りその品質が低下して満足のいくものとはならない。
【０００４】
一方、会場側で正式に録音等してその場で複数のプレーヤーに書き込み、これをコンサート終了後に販売することが考えられる。この場合、プレーヤーに書き込まれた録音データが複製により大量に拡散すると、後日販売するＣＤ等の売り上げに大きな影響を及ぼす虞があるため採用し難い方法である。
【０００５】
この発明は上記のような課題を解決するためになされたもので、コンサート等の収録データを複製による拡散の虞がなく複数のプレーヤーに書き込める書込制御システムを提供することを目的とする。
【課題を解決するための手段】
【０００６】
上記の目的を達成するために、請求項１記載の発明は、録音や撮影により取得されたデータよりなるファイルを書き込むことができるファイル書込装置とファイルが書き込まれた複数のプレーヤーとからなる書込制御システムであって、ファイル書込装置は、取得されたファイルを特定のコーデック情報に基づいてエンコードして生成された第１ファイルを格納する第１ファイル格納手段と、第１ファイルを編集することによって得られた第２ファイルを格納する第２ファイル格納手段と、格納された第２ファイルをプレーヤーの各々に書き込む書込手段とを備え、プレーヤーの各々は、書き込まれた第２ファイルを第３ファイルとして格納する第３ファイル格納手段と、コーデック情報のうち、少なくともデコード情報が格納されるデコード情報格納手段と、格納された第３ファイルをデコード情報に基づいてデコードするデコード手段と、デコードされた第３ファイルを再生する再生手段とを備えたものである。
【０００７】
このように構成すると、取得されたファイルは書込対象のプレーヤーによってのみ再生される。
【０００８】
請求項２記載の発明は、録音や撮影により取得されたデータよりなるファイルを書き込むことができるファイル書込装置とファイルを再生する複数のプレーヤーとからなる書込制御システムであって、ファイル書込装置は、ファイルを特定のコーデック情報に基づいてエンコードして生成された第１ファイルを格納する第１ファイル格納手段と、第１ファイルを編集することによって得られた第２ファイルを格納する第２ファイル格納手段と、格納された第２ファイルをプレーヤーの各々に装着できるメモリに第３ファイルとして書き込む書込手段とを備え、プレーヤーの各々は、メモリを装着することができるメモリ装着手段と、コーデック情報のうち、少なくともデコード情報が格納されるデコード情報格納手段と、メモリに格納された第３ファイルをデコード情報に基づいてデコードするデコード手段と、デコードされた第３ファイルを再生する再生手段とを備えたものである。
【０００９】
このように構成すると、取得されたファイルが特定のプレーヤーによってのみ再生される。
【００１０】
請求項３記載の発明は、請求項１又は請求項２記載の発明の構成において、ファイル書込手段は、更に、第２ファイルと第３ファイルとの照合を、各々が格納された複数の特定番地同士において選択的に行うベリファイ手段を備えたものである。
【００１１】
このように構成すると、照合に要する時間を短縮できる。
【００１２】
請求項４記載の発明は、請求項１から請求項３のいずれかに記載の発明の構成において、ファイルはコンサート会場等において録音された音楽ファイルを含むものである。
【発明の効果】
【００１３】
以上説明したように、請求項１記載の発明は、取得ファイルは書込対象のプレーヤーによってのみ再生されるため、第３ファイルが不当にコピー等されても他のプレーヤーでは再生できない。従って、第３ファイルの複製による不当な拡散を防止することができる。
【００１４】
請求項２記載の発明は、取得ファイルは特定のプレーヤーによってのみ再生されるため、第３ファイルが不当にコピー等されても他のプレーヤーでは再生できない。従って、第３ファイルの複製による不当な拡散を防止することができる。
【００１５】
請求項３記載の発明は、請求項１又は請求項２記載の発明の効果に加えて、第２ファイルと第３ファイルとの照合に要する時間を短縮できるため、プレーヤーへの書込がより迅速となる。
【００１６】
請求項４記載の発明は、請求項１から請求項３のいずれかに記載の発明の効果に加えて、特定のプレーヤーによってのみ会場での収録内容を再生できるため、複製等による不当な拡散が防止され収録内容の価値が向上する。
【発明を実施するための最良の形態】
【００１７】
図１はこの発明の第１の実施の形態による書込制御システムの概略構成を示したブロック図である。
【００１８】
図を参照して、書込制御装置１０は、ファイル書込装置１１と書込機３４とプレーヤー３５とから構成されている。そして、ファイル書込装置１１は制御部１３を中心として構成されている。ファイル書込装置１１内のＡ／Ｄ変換部１４は、コンサート会場等における演奏がマイク３１で録音され、これをミキサー３２によってミキシングされたアナログデータをデジタルデータに変換する。エンコーダー１５はコーデック情報格納部１７に格納されているコーデック情報のうちエンコード情報に基づき、デジタルデータを特定のコードに符号化するものである。第１音楽ファイル格納部１８はエンコーダー１５によって符号化された第１音楽ファイルを格納する。第２音楽ファイル格納部２７は第１音楽ファイル格納部１８に格納された第１音楽ファイルを操作部２０の操作によって編集して取得された第２音楽ファイルを格納する。
【００１９】
デコーダー２１は第１音楽ファイル格納部１８及び第２音楽ファイル格納部２７に格納されている各々の音楽ファイルを、コーデック情報格納部１７に格納されているコーデック情報のうちデコード情報に基づいて復号化するものである。ここでいうデコード情報は既存の一般化したデコード情報ではなく、通常使用されていない特有のデコード情報を意味するものである。Ｄ／Ａ変換部２２はデコーダー２１によって復号化されたデジタルデータをアナログデータに変換して、ディスプレイ２４及びスピーカー２５によって出力するものである。
【００２０】
書込部２８は第２音楽ファイル格納部２７に格納されている第２音楽ファイルを、制御部１３の制御のもと、ファイル書込装置１１に接続されている書込機３４に装着されているプレーヤー３５ａ〜プレーヤー３５ｄの各々に書き込むものである。
【００２１】
図２は図１で示した書込制御システムの概略動作を説明するためのフローチャートである。
【００２２】
図を参照して、ミキサー３２を介して入力された音源がステップＳ１１において取得される。取得されたアナログの音楽データはＡ／Ｄ変換部１４においてデジタルデータに変換される（Ｓ１２）。デジタルデータをエンコーダー１５においてコーデック情報格納部１７に格納されているエンコード情報に基づいてこれを符号化し、第１音楽ファイルとして第１音楽ファイル格納部１８に格納する（Ｓ１３，Ｓ１４）。
【００２３】
第１音楽ファイル格納部１８に格納された第１音楽ファイルはデコーダー２１及びＤ／Ａ変換部２２を介してディスプレイ２４及びスピーカー２５に出力される。編集者はディスプレイ２４及びスピーカー２５の出力に基づき操作部２０を介して第１音楽ファイルを編集する。
【００２４】
図３はこの編集作業の概略を説明するための第１音楽ファイルと第２音楽ファイルとの関係を示した図である。
【００２５】
図を参照して、第１音楽ファイル３７はファイルＡからファイルＧまで一連のファイルが連続することによって構成されている。この第１音楽ファイル３７の内容は、コンサート内容から直接に得られるデータに基づいたものである。即ち、第１音楽ファイル３７のデータは、コンサート等の演奏内容そのものであり、何ら編集が加えられていない状態である。そのため、演奏者等が時々発する失言等のミスワードが含まれる場合がある。このようなミスワードが例えばファイルＢ，Ｄ及びＦに含まれているものとする。
【００２６】
ミスワードが含まれている第１音楽ファイル３７をそのままプレーヤー等に出力すると、後日問題となる虞がある。従って、編集者は、このようなミスワードが含まれているファイルを操作部２０を介して削除して第２音楽ファイル３８を生成する。即ち、第２音楽ファイル３８にはミスワードが含まれているファイルが削除され、それ以外のファイル、即ちファイルＡ，Ｃ，Ｅ及びＧよりなるファイルとなる。このようにして生成された第２音楽ファイル３８は第２音楽ファイル格納部２７に格納されることになる。
【００２７】
図２に戻って、ステップＳ１６において第２音楽ファイル格納部２７に格納された第２音楽ファイルは、制御部１３の制御のもと書込機３４に出力される。尚、第２音楽ファイルは上述のように特定のエンコード情報によって符号化された第１音楽ファイルを編集したものである。従って、第２音楽ファイルも同一のエンコード情報によって符号化された状態のものとなる。そしてこのように符号化された第２音楽ファイルが書込機３４のプレーヤー３５ａ〜プレーヤー３５ｄの各々に書き込まれることになる（Ｓ１７）。これによってプレーヤー３５ａ〜プレーヤー３５ｄの各々には、図３で示した第２音楽ファイル３８の内容が書き込まれる。
【００２８】
書込機３４によるプレーヤー３５への書込みが完了すると（Ｓ１８でＹＥＳ）、ステップＳ１９において書込内容の照合が行われる。即ち、第２音楽ファイル格納部２７において格納された第２音楽ファイルとプレーヤー３５ａ〜プレーヤー３５ｄの各々に書き込まれた音楽ファイルとの一致を確認するものである。
【００２９】
図４はこのベリファイ動作を説明するための第２音楽ファイルとプレーヤーに書き込まれた書込ファイルとの関連を説明するための概略図である。
【００３０】
第２音楽ファイル格納部２７に書き込まれた第２音楽ファイル３８とプレーヤー３５に書き込まれた書込ファイル４０とをすべての記録番地において照合することが書込みの品質を維持する点では好ましいものである。しかし、すべての番地を最初から最後まで照合していくと時間がかかる。そのため、この実施の形態にあっては、特定の番地を選択してその番地に格納されたデータ同士を照合することによってベリファイに要する時間を短縮化させている。
【００３１】
即ち、第２音楽ファイル格納部２７に格納されている第２音楽ファイル３８における番地Ａ〜番地Ｆの６つの番地を選択し、一方プレーヤー３５に書き込まれている書込ファイル４０の番地としてａ〜ｆの番地が第２音楽ファイル３８で選択された番地に対応するものとする。このようにしてベリファイ部２９は第２音楽ファイル３８において選択された番地におけるデータと書込ファイル４０において選択された番地におけるデータとを順次照合する（Ｓ１９）。番地の照合が全て終了すると（Ｓ２０でＹＥＳ）、プレーヤー３５への音楽ファイルの書込みが終了する。
【００３２】
図５は図１で示したプレーヤー３５の概略構成を示したブロック図である。
【００３３】
図を参照して、プレーヤー３５も制御部４３を中心として構成されている。入出力部４４はファイル書込装置１１から書込機３４を介して出力された音楽ファイルを取り込む部分である。第３音楽ファイル格納部４５は入出力部４４を介して取り込まれた音楽ファイルを第３音楽ファイルとして格納する部分である。
【００３４】
デコーダー４８はデコード情報格納部５０に格納されているデコード情報に基づき第３音楽ファイル格納部４５に格納されている第３音楽ファイルを復号化する。Ｄ／Ａ変換部５１は復号化された音楽ファイルを表示部５３及びイヤホーン５４に出力する。操作部４７は、これを操作することによって表示部５３及びイヤホーン５４の内容を制御するものである。
【００３５】
図６は図５で示したプレーヤーの概略動作を示すためのフローチャートである。
【００３６】
図を参照して、操作部４７を操作することによって第３音楽ファイル格納部４５に格納されている第３音楽ファイルを読み出す（Ｓ３１）。次に、この音楽ファイルの読み出しに伴い、デコード情報格納部５０に格納されているデコード情報が読み出される（Ｓ３２）。次に、制御部４３は読み出された音楽ファイルとデコード情報とに基づいて音楽ファイルがデコードできるか否かを判断する（Ｓ３３）。
【００３７】
上述のように第３音楽ファイル格納部４５に格納されている第３音楽ファイルは特定のエンコード情報によって符号化されたものである。従って、デコード情報格納部５０に格納されているデコード情報がこれに対応する特定のデコード情報でない場合には、第３音楽ファイルを復号化することはできない。これは、プレーヤー３５の第３音楽ファイル格納部４５に格納された第３音楽ファイルを複製等しても益がないことを意味する。すなわち、これを再生するプレーヤーが元の第３音楽ファイルに対応したデコード情報を有さないものであれば、複製された音楽ファイルを再生することができない。これによって、第３音楽ファイルの複製による不当な拡散を防止することができる。
【００３８】
ステップＳ３３においてデコードが可能であると判断されるとデコーダー４８によって復号化され（Ｓ３４）、音楽ファイルとして再生される（Ｓ３５）。再生された音楽ファイルは表示部５３及びイヤホーン５４を介して視聴することができる。一方、第３音楽ファイルをデコードすることができないと判断されると（Ｓ３３でＮＯ）、音楽ファイルとして再生できず処理は終了する（Ｓ３６）。
【００３９】
図７はこの発明の第２の実施の形態による書込制御システムの概略構成を示したブロック図である。
【００４０】
図を参照して、このブロック図は先の第１の実施の形態による図１のブロック図と基本的な構成は共通している。従って、ここでは、先の実施の形態とは異なった部分についてのみ主に説明する。
【００４１】
ファイル書込装置１１に示す構成は第１の実施の形態によるものと基本的に同一である。一方、書込機３４における書込対象が先の実施の形態によるものとは異なっている。先の実施の形態にあっては、書込対象はプレーヤーそのものであったが、この実施の形態にあっては、プレーヤー等に装着されるメモリ５６を対象としている。即ち、ファイル書込装置１１における書込部２８を介して第２音楽ファイルはメモリ５６ａ〜メモリ５６ｄの各々に書き込まれるように構成されている。この書込みにおける動作や、書込み後のベリファイ動作等については先の実施の形態によるものと同一であるためここでの説明は繰り返さない。
【００４２】
図８は図７で示したメモリ５６を装着してこれを再生するためのプレーヤー３５の概略構成を示したブロック図である。
【００４３】
図を参照して、プレーヤー３５の構成も基本的には先の実施の形態によるプレーヤーの構成と共通するところが多い。従って、ここでは、先の実施の形態によるものと異なる部分について主に説明する。
【００４４】
このプレーヤー３５においては、先の実施の形態によるプレーヤー３５における入出力部４４及び第３音楽ファイル格納部４５に相当するものが無く、代わりにメモリ５６を脱着自在に装着することができるメモリ装着部５７が設けられている。メモリ装着部５７は制御部４３によって制御され、メモリ５６を装着することによって、メモリ５６に書き込まれたデータがデコーダー４８によって随時復号化されるように構成されている。従って、先の実施の形態によるものと同様に、メモリ５６に格納された音楽ファイルはデコード情報格納部５０に格納されたデコード情報に基づいて表示部５３及びイヤホーン５４を介して再生することができる。
【００４５】
この実施の形態においても同様にメモリ５６に格納されている音楽ファイルとデコード情報格納部５０に格納されているデコード情報とが対比され、デコードできるか否かが判別される。従って、メモリ５６を異なったデコード情報を有するプレーヤーに装着した場合には、音楽ファイルとして再生できないことになる。従って、メモリ５６に書き込まれた音楽ファイルを不当に複製等しても、これを再生できるプレーヤーが限定されるため、複製等による不当な音楽ファイルの拡散が防止されることになる。
【００４６】
尚、上記の各実施の形態では、録音データを基にこれを書込み再生しているが、これに代えて録画データにも同様に適用でき同様の効果を奏する。あるいは、録音データと録画データとを合体させたデータにも同様に適用できる。この場合には、特定のプレーヤーによってのみコンサート会場等の演奏が画像と音とで再現することができる。
【００４７】
又、上記の各実施の形態では、第１音楽ファイルを編集して第２音楽ファイルを生成しているが、この編集には削除以外のファイルの順序の入れ替え、タイトルの追加、挿入等も含み、広くは第１音楽ファイルの体裁を整える程度の編集も含むものである。
【００４８】
更に、上記の第１の実施の形態では、プレーヤーに書き込まれた第３音楽ファイルはそれに対応するデコード情報を有するプレーヤーであれば他のプレーヤーであっても再生できるように構成されている。そこで、書き込まれた第３音楽ファイルに書込みプレーヤーとを関連付けるデータを暗号化して付するようにしておけば、仮にその音楽ファイルを複製しても同一のデコード情報を有する他のプレーヤーでは再生できなくなる。これによって、第３音楽ファイルの複製の可能性をより制限することができる。
【００４９】
更に、上記の各実施の形態では、コンサート会場等の演奏の録音を前提としているが、このような演奏に限らず講演、セミナー等に対しても同様に適用できることは言うまでもない。
【図面の簡単な説明】
【００５０】
【図１】この発明の第１の実施の形態による書込制御システムの概略構成を示したブロック図である。
【図２】図１で示したファイル書込装置の概略動作を説明するためのフローチャートである。
【図３】図２で示した第１音楽ファイルの編集動作を説明するための図であって、第１音楽ファイルと第２音楽ファイルの内容を対比した図である。
【図４】図２で示したベリファイ動作を説明するための図であって、第２音楽ファイルと書込ファイルとの関係を示した概略図である。
【図５】図１で示したプレーヤーの概略構成を示したブロック図である。
【図６】図５で示したプレーヤーの概略動作を説明するためのフローチャートである。
【図７】この発明の第２の実施の形態による書込制御システムの概略構成を示したブロック図である。
【図８】図７で示したメモリを装着してこれを音楽ファイルとして再生するためのプレーヤーの概略構成を示したブロック図である。
【符号の説明】
【００５１】
１０…書込制御システム
１１…ファイル書込装置
１３，４３…制御部
１５…エンコーダー
１７…コーデック情報格納部
１８…第１音楽ファイル格納部
２７…第２音楽ファイル格納部
２８…書込部
２９…ベリファイ部
３４…書込機
３５…プレーヤー
３７…第１音楽ファイル
３８…第２音楽ファイル
４０…書込ファイル
４５…第３音楽ファイル格納部
４８…デコーダー
５０…デコード情報格納部
５６…メモリ
尚、各図中同一符号は同一又は相当部分を示す。
【図１】
2008097767.tif 000003
【図２】
2008097767.tif 000004
【図３】
2008097767.tif 000005
【図４】
2008097767.tif 000006
【図５】
2008097767.tif 000007
【図６】
2008097767.tif 000008
【図７】
2008097767.tif 000009
【図８】
2008097767.tif 000010